(57)【特許請求の範囲】
【請求項１】
ヘッドレスト構造であって、本体と、２つの支持棒を含み、
前記本体が、カバークッションと、前記カバークッションに被覆され、かつ頭部を凭せかけるための前記本体の凭れ面の反対側に配置された自動体外除細動器を含み、
前記２つの支持棒の各支持棒が、連結端と、前記連結端の反対側の組込み端を備え、
各前記支持棒が前記連結端を介して前記本体に連結され、前記本体を支持することを特徴とする、
ヘッドレスト構造。
【請求項２】
さらに前記本体の前記支持棒の反対側に配置されたハンドルを含むことを特徴とする、請求項１に記載のヘッドレスト構造。
【請求項３】
さらに遮蔽部材を含み、前記遮蔽部材が、枢着部と、前記枢着部の反対側の隣接部を含み、前記枢着部が前記本体上の前記支持棒近くに枢着され、そのうち、前記遮蔽部材が遮蔽位置にあるとき、前記遮蔽部材が前記ハンドルを遮蔽し、前記遮蔽部材が開放位置にあるとき、前記ハンドルが外部に露出され、前記隣接部と前記組込み端が同一平面上に位置し、前記本体を支持することを特徴とする、請求項２に記載のヘッドレスト構造。
【請求項４】
さらに前記隣接部の端部に連結されたカバー部を含み、そのうち、前記遮蔽部材が前記遮蔽位置にあり、前記ハンドルを遮蔽しているとき、前記カバー部が前記遮蔽部材の反対側の前記本体の一側を被覆し、そのうち、前記遮蔽部材が前記開放位置にあり、前記ハンドルが露出されているとき、前記隣接部と前記組込み端が同一平面上に位置し、前記本体を前記カバー部上に立たせて支持することを特徴とする、請求項３に記載のヘッドレスト構造。
【請求項５】
さらに前記カバー部上に、前記支持棒の前記組込み端に対応して配置された少なくとも１つのバックル部を含むことを特徴とする、請求項４に記載のヘッドレスト構造。
【請求項６】
前記自動体外除細動器が、電気ショックモジュールと、少なくとも１つの補助電気ショック部材と、制御モジュールを含み、前記電気ショックモジュールが電気ショック信号を出力し、前記少なくとも１つの補助電気ショック部材が、少なくとも１つの接続端と少なくとも１つの動作端を含み、前記接続端が前記電気ショックモジュールに取り外し可能かつ電気的に接続され、前記動作端が患者の心臓の電気ショック箇所に接触させるために用いられ、前記動作端を介して前記電気ショック信号が前記患者の心臓の前記電気ショック箇所に伝達され、前記制御モジュールが前記電気ショックモジュールに電気的に接続され、前記電気ショック信号の出力を制御する、ことを特徴とする、請求項１乃至５のいずれかに記載のヘッドレスト構造。
【請求項７】
前記本体がさらに、前記自動体外除細動器に電気的に接続されたディスプレイモジュールを含み、前記ディスプレイモジュールが、前記患者の少なくとも１つの生理的パラメータ、または前記電気ショック信号の少なくとも１つの出力パラメータ、あるいはそれらの組み合わせを選択的に表示することを特徴とする、請求項６に記載のヘッドレスト構造。
【請求項８】
前記ディスプレイモジュールが、信号受信ユニットと、コード／デコードユニットと、スクリーンを含み、前記コード／デコードユニットが、前記信号受信ユニットにより受信された信号を前記スクリーンで表示するためのビデオ信号に変換することを特徴とする、請求項７に記載のヘッドレスト構造。
【請求項９】
前記支持棒が前記信号受信ユニットに結合され、前記信号受信ユニットのアンテナとなることを特徴とする、請求項８に記載のヘッドレスト構造。
【請求項１０】
前記本体がさらに、前記自動体外除細動器に電気的に接続された信号発信部材を含み、前記信号発信部材が、前記自動体外除細動器の動作の際に自動的に電子信号を発信することを特徴とする、請求項１乃至５のいずれかに記載のヘッドレスト構造。
【請求項１１】
前記支持棒が前記信号発信部材に結合され、前記信号発信部材のアンテナとなることを特徴とする、請求項１０に記載のヘッドレスト構造。
【請求項１２】
前記本体がさらに、電子信号を発信するための信号発信部材を含むことを特徴とする、請求項１乃至５のいずれかに記載のヘッドレスト構造。
【請求項１３】
前記支持棒が前記信号発信部材に結合され、前記信号発信部材のアンテナとなることを特徴とする、請求項１２に記載のヘッドレスト構造。
【発明の詳細な説明】
【技術分野】
【０００１】
本発明はヘッドレスト構造に関し、特に、内部に自動体外除細動器が組み込まれたヘッドレスト構造に関する。
【背景技術】
【０００２】
米国心臓協会によると、米国では毎年病院外での心停止が３６万件発生しており、その多くが中年男性に発生し、生存率はわずか９．５％である。すぐに心肺蘇生法（ＣＰＲ）が行われ、心臓に除細動器で刺激を与え、正常なリズムが回復されれば患者は生存することができる。
【０００３】
米国心臓協会によると、突然の心停止を発症したほとんどの成人が心室細動の状態にあり、心臓が血液を送り出すことができなくなる。心室細動の処置は、除細動と電気的除細動手順であり、すなわち、電気ショックを与えて心室細動状態を終わらせ、心臓を正常なリズムに戻すものである。
除細動と電気的除細動手順が遅れると、生存可能性が毎分約１０％ずつ低下すると考えられている。さらに、患者が４〜６分以内に適切に処置されないと、この心停止で生存することができても、脳が回復不能のダメージを受け、継続的な植物状態になる可能性がある。
【０００４】
突然心臓発作を起こした人物が救急処置、たとえば、自動体外除細動器（以下、ＡＥＤという）、またはその他補助の救命設備ですぐに処置を受けることができれば、この危機に瀕した人物は救われる可能性がある。ＡＥＤはシンプルな医療機器であり、主に医療従事者でない人が心停止により突然死亡する危険にさらされた患者を救うために提供される。
ＡＥＤは患者の不整脈現象（心室頻拍と心室細動を含む）を自動的に検出し、患者の心臓に電気ショックを与える必要があるか否かを助言することができる。突然の不整脈に起因する心停止は、心停止患者に電気ショックが１分以内に適用された場合、９０％の成功率で回復する。一部の国で進められているパブリックアクセス除細動（ＰＡＤ）プログラムにおいて、ＡＥＤは広く推奨されており、公共の場所に固定設置されている。
【０００５】
しかしながら、固定設置されたＡＥＤは動かすことができないため、ＡＥＤの有用性が大幅に低下する。たとえば、与えられた状況で、心停止により気を失った人物に対する適切な救急処置をすばやく適用することはＡＥＤ装置がないために不可能である可能性が高い。したがって、ＡＥＤの実装法と構造を再設計するための体系的な計画がないため、心臓病患者に即時に救急手順を適用することは不可能である。
【０００６】
さらに、一般的な人の輸送方法は、動物による輸送から機械による輸送に変化し、陸上、海上、または空の上を問わず、発展を続けている。輸送機関によって人は世界のほぼどこへでも行くことができる。したがって、輸送機関、特に人を運ぶために提供される方法は、日常生活に偏在する。つまり、輸送機関は人の移動に密接につながっている。このため、輸送機関に高い移動性を持つＡＥＤ装置を組み込むことは、ＡＥＤ装置のより優れた実装であり、その必要性が高い。
【発明の概要】
【発明が解決しようとする課題】
【０００７】
以上に鑑み、本発明の目的は、内部に自動体外除細動器が組み込まれたヘッドレスト構造を提供することにある。
【課題を解決するための手段】
【０００８】
本発明のヘッドレスト構造は、本体と２つの支持棒を含み、前記本体は、カバークッションと自動体外除細動器（以下、略称ＡＥＤ）を含む。前記ＡＥＤは前記カバークッションによって包み込まれる。各前記支持棒は、連結端と、前記連結端の反対側の組込み端を含む。各前記支持棒は前記連結端を介して前記本体に連結され、前記本体を支持する。
このように本体内にＡＥＤを配置することで、本発明のヘッドレスト構造は誰かが突然の心停止に見舞われたときに座席から取り外すことができ、これによりＡＥＤの適用性が向上され、かつＡＥＤの適用によって患者に即時に適切な処置を適用することができる。さらに、ＡＥＤが輸送機関のヘッドレストに設置されることで、ＡＥＤをすぐに見つけ、直ちに適用することができる。
【０００９】
本発明の一部の実施態様において、前記ヘッドレスト構造はさらに、前記本体上の前記支持棒の反対側に設置されたハンドルを含む。
【００１０】
本発明の一部の実施態様において、前記ヘッドレスト構造はさらに遮蔽部材を含む。前記遮蔽部材は枢着部と、前記枢着部の反対側に設けられた隣接部を含む。前記枢着部は前記本体上の前記支持棒近くに枢着される。したがって、前記遮蔽部材が遮蔽位置にあるとき、前記遮蔽部材がハンドルを遮蔽する。前記遮蔽部材が開放位置にあるとき、前記ハンドルは外部に露出され、前記隣接部が前記組込み端と同一平面上に位置し、前記本体が地面上に立つように支持する。これにより、前記ヘッドレスト構造の本体を地面から絶縁できる。
【００１１】
本発明の一部の実施態様において、前記ヘッドレスト構造はさらに、前記隣接部の端部に接続されたカバー部を含む。前記遮蔽部材がハンドルを遮蔽する遮蔽位置にあるとき、前記カバー部が前記遮蔽部材の反対側の前記本体の一側を被覆する。前記遮蔽部材が開放位置にあり、前記ハンドルが露出されているとき、前記隣接部と前記組込み端が同一平面上に位置し、前記本体がカバー部上に立つように支持する。
【００１２】
本発明の一部の実施態様において、前記ヘッドレスト構造はさらに、前記カバー部に配置され、かつ前記支持棒の前記組込み端に対応した少なくとも１つのバックル部を含む。
【００１３】
本発明の一部の実施態様において、前記ＡＥＤはさらに、電気ショックモジュール、少なくとも１つの補助電気ショック部材、制御モジュールを含む。前記電気ショックモジュールは電気ショック信号を出力するために用いられる。前記補助電気ショック部材は少なくとも１つの接続端と少なくとも１つの動作端を含む。前記接続端は前記電気ショックモジュールに取り外し可能かつ電気的に接続される。前記動作端は患者の心臓の電気ショック箇所に接触させるために用いられ、前記電気ショック信号が前記動作端を介して患者の電気ショック箇所に送達される。前記制御モジュールは前記電気ショックモジュールに電気的に接続され、前記電気ショック信号の出力を制御する。
【００１４】
本発明の一部の実施態様において、前記本体はさらに、前記ＡＥＤに電気的に接続され、患者の少なくとも１つの生理的パラメータ、電気ショック信号の少なくとも１つの出力パラメータ、またはそれらの組み合わせを表示する、ディスプレイモジュールを含む。
【００１５】
本発明の一部の実施態様において、前記ディスプレイモジュールは信号受信ユニット、コード／デコードユニット、スクリーンを含む。前記コード／デコードユニットは前記信号受信ユニットにより受信された信号を前記スクリーン上に表示するためのビデオ信号に変換する。そのうち、前記支持棒は信号受信ユニットに結合され、前記信号受信ユニットのアンテナとなる。
【００１６】
本発明の一部の実施態様において、前記本体はさらに、ＡＥＤに電気的に接続された信号発信部材を含み、それによりＡＥＤの動作時に前記信号発信部材が自動的に信号を発信する。そのうち、前記支持棒は前記信号発信部材に結合され、前記信号発信部材のアンテナとなる。
【発明の効果】
【００１７】
まとめると、本発明のヘッドレスト構造は、人体が突然心室細動または心室頻拍を生じたとき、別の人物（友人や救護者）がヘッドレスト構造内のＡＥＤを使用して患者の心臓に電気ショックを与え、その後外部心臓マッサージ手順やその他の心肺蘇生法の手順を適用し、患者に救急処置を施すことができ、この状況において、緊急治療室に到着する前に患者に適切な処置を行うことで、患者の生存可能性を大幅に高めることができる。
【００１８】
本発明の特徴と利点について以下で実施例を挙げて詳細に説明する。当業者であればこの詳細な説明から本発明の技術的内容と実施方法が明らかになるであろう。本発明の目的および利点は、本発明の明細書の内容、請求項、図面を参照すればあらゆる当業者に容易に理解されるであろう。
【００１９】
本発明は以下詳細な説明と図面からより明らかになるであろう。図面に示す実施態様は例示のみを目的とし、本発明を限定するものではない。
【図面の簡単な説明】
【００２０】
【図１】本発明のヘッドレスト構造の実施例１の立体斜視図１である。
【図２ａ】本発明のヘッドレスト構造の実施例１の自動体外除細動器を示すブロック図１である。
【図２ｂ】本発明のヘッドレスト構造の実施例１の自動体外除細動器を示すブロック図２である。
【図２ｃ】本発明のヘッドレスト構造の実施例１の立体斜視図２である。
【図３】本発明のヘッドレスト構造の実施例１の立体斜視図３である。
【図４ａ】本発明のヘッドレスト構造の実施例２の立体斜視図１である。
【図４ｂ】本発明のヘッドレスト構造の実施例２の側面図である。
【図４ｃ】本発明のヘッドレスト構造の実施例２の立体斜視図２である。
【図４ｄ】図４ｃのヘッドレスト構造の側面図１である。
【図４ｅ】図４ｃのヘッドレスト構造の側面図２である。
【発明を実施するための形態】
【００２１】
以下、本発明の実施例について図面に基づいて詳細に説明する。
【実施例１】
【００２２】
図１に本発明のヘッドレスト構造１００の実施例１の立体斜視図１を示す。ヘッドレスト構造１００は輸送機関の座席または背もたれに組み込まれる。前記輸送機関は、たとえば、自動車、船舶、飛行機、背もたれ付自動二輪車などとできるが、実施態様はこれらに限らない。本発明の一部の実施態様において、前記ヘッドレスト構造１００は、アミューズメント施設のベンチ椅子やレースカーの座席に組み込まれる。前記ヘッドレスト構造１００は、本体１０と２つの支持棒２０を含むが、前記支持棒２０の数はこれに限らない。
【００２３】
前記本体１０は、カバークッション１１と、自動体外除細動器１２（以下、略称ＡＥＤ）を含む。前記カバークッション１１は、たとえば、使用者の頭部を凭せかけるための軟質素材で構成することができる。前記ＡＥＤ１２は、前記カバークッション１１に包み込まれ、頭部を凭せかけるための前記本体１０の凭れ面の反対側に配置される。このため、前記ヘッドレスト構造１００が外部からの力による強い衝撃を受けても、軟質の前記カバークッション１１が外部からの衝撃を吸収するため、前記ＡＥＤ１２内部の電気部品は、患者を救助するときに正常に動作できる。
【００２４】
各前記支持棒２０は、連結端２１と、前記連結端２１の反対側の組込み端２２を含む。各前記支持棒２０は前記連結端２１を介して前記本体１０に連結され、前記本体１０を支持する。前記支持棒２０は、使用者の頭部を凭せかけるために輸送機関の座席に連結するために用いられる。さらに、前記組込み端２２は係合構造を備え、前記輸送機関の座席に取り外し可能に組み込まれる。ここで、前記支持棒２０は、前記本体を地面から絶縁するために用いられる。さらに、本実施態様において、前記支持棒２０は、前記本体１０の底面に対して実質的に垂直であるが、実施態様はこれに限定されない。前記支持棒２０と前記本体１０間の角度は調整可能としてもよい。
【００２５】
本発明によると、前記ＡＥＤ１２は前記ヘッドレスト構造１００内部でモジュール化され、背もたれを備えた前記輸送機関に連結される。人が突然の心停止に見舞われたとき、前記ＡＥＤ１２の適用で即時にこの患者に適切な処置を施すことができる。
【００２６】
図２ａに本発明のヘッドレスト構造１００の実施例１のＡＥＤ１２のブロック図１を示す。ここで、前記ＡＥＤ１２は、電気ショックモジュール１２１、複数の導電プレート１２１１、制御モジュール１２２を含む。
【００２７】
前記電気ショックモジュール１２１は、電気ショック信号を出力するために用いられる。前記導電プレート１２１１は前記電気ショックモジュール１２１に電気的に接続され、患者の心臓の電気ショック箇所に接触されて、前記電気ショック信号が前記導電プレート１２１１を介して前記患者の電気ショック箇所に送達される。これに基づき、前記導電プレート１２１１は、前記患者の心臓の前記電気ショック箇所に付着され、前記患者の心臓と前記ＡＥＤ１２間に電気ショックループが形成されて、前記電気ショック信号が前記患者の心臓に送達される。ここで、前記導電プレート１２１１は金やプラチナ、銀、銅、ステンレス材料または導電性高分子などの導電材質から成るが、実施態様はこれらに限らない。
前記制御モジュール１２２は前記電気ショックモジュール１２１に電気的に接続され、前記電気ショック信号の出力または前記患者の生理情報の入力を制御する。本実施態様において、前記制御モジュール１２２は、プロセッサーと、前記プロセッサーを制御するための操作モジュールを含む。たとえば、前記操作モジュールは、前記電気ショック信号の強度、頻度、電気ショックのモード、印加回数またはその他パラメータの手動または自動制御、または前記患者から収集される前記生理情報の種類の制御のための複数の固体ボタンとするが、実施態様はこれに限らない。本発明の一部の実施態様において、前記操作モジュールは複数の、または単一の仮想ボタン、固体トグル、つまみ、またはリモートコントローラとしてもよい。
【００２８】
図２ｂに、本発明のヘッドレスト構造１００の実施例１のＡＥＤ１２のブロック図２を示す。ここで、前記ＡＥＤ１２は、電気ショックモジュール１２１、少なくとも１つの補助電気ショック部材１２３、制御モジュール１２２を含む。
【００２９】
前記電気ショックモジュール１２１と前記制御モジュール１２２の詳細についてはすでに前の段落で説明されているため、ここでは前記補助電気ショック部材１２３についてのみ説明する。前記補助電気ショック部材１２３は、少なくとも１つの接続端１２３１と少なくとも１つの動作端１２３２を含み、前記接続端１２３１は、前記電気ショックモジュール１２１に取り外し可能、かつ電気的に接続される。たとえば、図２ｂと図２ｃに示すように、前記接続端１２３１は、前記電気ショックモジュール１２１の挿入孔に挿入される端子構造であるが、実施態様はこれに限らない。
前記動作端１２３２は、患者の心臓の前記電気ショック箇所に接触させるために用いる電極パッド１２３２ａを備え、前記電気ショック信号が前記動作端１２３２の前記電極パッド１２３２ａを介して、患者の心臓の前記電気ショック箇所に送達される。さらに、前記補助電気ショック部材１２３は、使用されないとき前記ヘッドレスト構造１００内に収容することができ、使用者が凭れかかったときの快適さに影響を与えない。
【００３０】
一部の実施態様について、図３の本発明のヘッドレスト構造１００の実施例１の立体斜視図３を参照する。ここで、前記本体１０はさらに、前記ＡＥＤ１２に電気的に接続され、患者の少なくとも１つの生理的パラメータ、前記電気ショック信号の少なくとも１つの出力パラメータ、またはそれらの組み合わせを選択的に表示するディスプレイモジュール１３を含む（たとえば、前記ディスプレイモジュール１３は、患者の呼吸回数、血圧、心拍数、体温、心電図、またはその他の生理的パラメータを表示する）。ここで、前記ディスプレイモジュール１３はＬＣＤスクリーンであるため、前述のパラメータを数値で、またはグラフィカルに表示して、患者の生理的状態を即時に把握することができるが、実施態様はこれに限らない。さらに、ここで、前記ディスプレイモジュール１３の数は１つであるが、実施態様はこれに限らない。
本発明の一部の実施態様において、前記ディスプレイモジュール１３は前記制御モジュール１２２の前記操作モジュールと組み合わせられると理解される。つまり、前記ディスプレイモジュール１３はタッチ制御機能を備え、使用者が前記ディスプレイモジュール１３を介して前述のパラメータを入力する。本発明の一部の実施態様において、前記ディスプレイモジュール１３は信号受信ユニット１３１、コード／デコードユニット１３２、スクリーン１３３を含む。前記信号受信ユニット１３１はワイヤレス信号受信ユニットとしてもよいが、実施態様はこれに限らない。前記コード／デコードユニット１３２は前記信号受信ユニット１３１が受信した信号を前記スクリーン１３３に表示するためのビデオ信号に変換する。ここで、前記信号受信ユニット１３１はワイヤレス信号受信ユニットである。つまり、前記ディスプレイモジュール１３はマルチメディア機能を備え、それにより使用者は前記信号受信ユニット１３１により受信されたワイヤレス信号から変換されたビデオ情報を見たり、前記ヘッドレスト構造１００が座席に組み込まれたときインターネットストリーミングからのビデオ情報を見たりすることができる。逆に、誰かが突然の心停止を発症し、適切な処置が必要なとき、前記ディスプレイモジュール１３は患者の生理情報、前記電気ショック信号の出力パラメータ、または患者に関するその他の情報を表示することができる。
加えて、本発明の一部の実施態様において、前記ヘッドレスト構造１００はさらに、プロセッサーとストレージユニットを含む。前記プロセッサーと前記ストレージユニットは前記ディスプレイモジュール１３に信号的に接続することができる。前記ストレージユニットはハードディスクまたはフラッシュメモリ、メモリカードとしてもよい。前記プロセッサーはアプリケーションプログラムを実行することができる。前記アプリケーションプログラムは前記ストレージユニット内に事前に保存されるか、インターネットからダウンロードしてから前記ストレージユニット内に保存される。これに基づき、前記ディスプレイモジュール１３は前記アプリケーションプログラムの実行フレームを表示し、前記アプリケーションプログラムは前述の操作モジュールにより制御することができる。たとえば、前記アプリケーションプログラムはコンピュータゲームとすることができるが、実施態様はこれに限らない。
【実施例２】
【００３１】
図４ａから図４ｅに、本発明に基づくヘッドレスト構造２００の実施例２を示す。前記ヘッドレスト構造２００の実施例２の構造は、前記実施例１とほぼ同じであるが、前記ヘッドレスト構造２００の実施例２はさらに、前記本体１０上の前記支持棒２０の反対側に配置されたハンドル３０を含む。したがって、必要時に、使用者は前記ヘッドレスト構造２００を輸送機関の座席から取り外し、前記ハンドル３０を持って前記ヘッドレスト構造２００を持ち運ぶことができ、前記ヘッドレスト構造２００の前記ＡＥＤ１２のモビリティが向上される。
加えてここで、前記ヘッドレスト構造２００はさらに遮蔽部材４０を含む。前記遮蔽部材４０は、枢着部４１と、前記枢着部４１の反対側に設けられた隣接部４２を含む。前記枢着部４１は前記本体１０の前記支持棒２０近くに枢着される。したがって、前記遮蔽部材４０が遮蔽位置にあるとき、前記遮蔽部材４０がハンドル３０を遮蔽する。前記遮蔽部材４０が開放位置にあるとき、前記ハンドル３０は外部に露出され、前記隣接部４２が前記組込み端２２と同一平面上に位置し、前記本体１０が地面上に立つように支持する（図４ｂ参照）。
【００３２】
ここで、前記遮蔽部材４０は、１ピースの部材または複数ピースの部材とすることができるが、これらに限らない。一部の実施態様において、前記遮蔽部材４０は前記ハンドルを遮蔽し、前記遮蔽部材４０は前記ディスプレイモジュール１３も被覆するが、実施態様はこれに限らない。
一部の別の実施態様において、前記遮蔽部材４０は実質的に枠体構造であり、窓部４０ａ（図４ａを参照）が前記ディスプレイモジュール１３に対応してその上に形成される。これに基づき、前記遮蔽部材４０が前記ハンドル３０を遮蔽したとき、前記ディスプレイモジュール１３が前記窓部４０ａから外部に露出され、使用者が前記ディスプレイモジュール１３を操作することができる。反対に、前記遮蔽部材４０が前記開放位置にあるとき、前記隣接部４２と前記支持棒２０の前記組込み端２２が同一平面上に位置し、前記本体１０を支持する。このため、前記ヘッドレスト構造２００は前記隣接部４２と前記組込み端２２を介して机の上や地面の上に安定的に配置することができ、それにより前記ヘッドレスト構造２００を座席から取り外した後、安定的に配置することができる。
さらに、前記ヘッドレスト構造２００が座席から取り外された後、前記ヘッドレスト構造２００は、前記隣接部４２と前記組込み端２２で前記本体１０を支持し、マルチメディアプレイヤーとして機能させることもできる。前記遮蔽部材４０の前記隣接部４２は矩形のプレートに限られず、支持機能を備えたほかの構造としてもよい。加えて、図４ａに示すように、本発明の一部の実施態様において、前記遮蔽部材４０は受入キャビティ４０ｂを定義し、その中に前記補助電気ショック部材１２３、前記ＡＥＤ１２のマニュアル、その他物品を入れることができる。この実施態様において、前記受入キャビティ４０ｂは前記隣接部４２近くにある。または、前記受入キャビティ４０ｂは前記窓部４０ａがある位置に構成してもよい。
【００３３】
図４ｃから図４ｅに示すように、本発明の一部の実施態様において、前記ヘッドレスト構造２００はさらに、前記遮蔽部材４０の前記隣接部４２端部に取り外し可能に、または固定して連結されたカバー部４３を含む。この実施態様において、前記カバー部４３は前記隣接部４２端部に固定して連結されており、前記カバー部４３は軟質素材から成る。たとえば、前記カバー部４３は、綿布、人工布、皮革、軟質プラスチックなどから成るものとできるが、これらに限らない。
図４ｅに示すように、前記遮蔽部材４０が前記遮蔽位置にあり、前記ハンドル３０を遮蔽したとき、前記カバー部４３は前記本体１０の前記遮蔽部材４０の反対側の一側を被覆する。このため、前記カバー部４３は、使用者の頭部を前記ヘッドレスト構造２００に凭せかけたときに、よりよい快適さと温もりを提供することができる。このほか、前記カバー部４３は、前記本体を保護するために提供し、または前記本体１０の使用寿命を延長したり、前記ヘッドレスト構造２００の美観を向上するために提供することもできる。一方で、図４ｄに示すように、前記遮蔽部材４０が前記開放位置にあり、前記ハンドル３０が露出されているとき、前記隣接部４２と前記組込み端２２が同一平面上に位置し、前記本体１０を支持して前記カバー部４３上に立たせる。つまり、前記遮蔽部材４０が前記開放位置にあるとき、前記カバー部４３の外面が前記組込み端２２に接触して、前記組込み端２２を安定的に配置させるに足る摩擦力を提供し、前記組込み端２２と前記隣接部４２が安定的に前記本体１０を支持して前記カバー部４３上に立たせることができる。前記ヘッドレスト構造２００が平らでない表面上に配置されたとき、前記カバー部４３がその平らでない表面上に配置され、前記組込み端２２が前記カバー部４３上に配置されるため、前記本体１０を安定的に支持することができる。
さらに、図４ｄに示すように、前記ヘッドレスト構造２００はさらに、前記カバー部４３の外面に、前記支持棒２０の前記組込み端２２に対応して配置された少なくとも１つのバックル部４４を含む。この実施態様においては、２列のバックル部４４が前記カバー部４３の外面に取り付けられ、これら２列間の距離は、前記２つの支持棒２０間の距離に実質的に等しい。したがって、前記遮蔽部材４０が前記開放位置にあるとき、前記組込み端２２がそれぞれ前記バックル部４４により保持されるが、実施態様はこれに限らない。図４ｃに示すように、この実施態様においては、前記バックル部４４が前記カバー部４３に取り付けられる。ここで、前記カバー部４３は軟質素材で成るため、前記バックル部４４が前記カバー部４３に取り付けられていても、前記バックル部４４は前記支持棒２０の前記組込み端２２を効果的に位置決めできる。このほか、前記ディスプレイモジュール１３の表示角度は、前記支持棒２０の前記組込み端２２を異なるバックル部４４に保持させることで、さまざまな条件に応じて調整することができる。
【００３４】
さらに、図４ａ、図４ｂ、図４ｃを再び参照する。これらの実施態様において、前記本体１０はさらに前記ＡＥＤ１２に電気的に接続された信号発信部材１５を含む。一実施態様において、前記信号発信部材１５は前記ＡＥＤ１２が動作している際に救急隊員に対して自動的に信号を発信し、前記救急隊員は前記信号が発信された場所にできる限り早く到着することができるようにしてもよいが、実施態様はこれに限らない。
本発明の一部の実施態様において、前記信号発信部材１５は前記ＡＥＤ１２にリンクされておらず、代わりに前記ヘッドレスト構造２００上に配置されたスイッチ（図示しない）にリンクされ、使用者が直接前記スイッチを操作して前記信号発信部材１５に信号を発信させ、前記ＡＥＤ１２の操作時に誤って前記信号発信部材１５を作動させないようにしてもよい。ここで、前記信号発信部材１５により発信される前記信号は無線電波信号であるが、これに限らない。実際には、患者が突然の心停止を発症したとき、使用者は前記信号発信部材を使用して救助信号を不特定の第三者（例：医療機関、保険会社、救助隊など）へ送信することができ、前記第三者がその情報を専門の救助隊にすぐに伝達し、前記救助隊が前記救命信号の発信された場所にできるだけ早く到達し、前記患者に適切な処置を施すことができるようにする。
【００３５】
一部の実施態様において、前記信号受信ユニット１３１は不特定の第三者から送信された外部操作信号を受信するために装備することができる。つまり、使用者が自分自身で前記ＡＥＤ１２を操作できない場合、前記ＡＥＤ１２を前記外部操作信号により遠隔操作することができる。一方で、前記信号受信ユニット１３１は外部ガイドメッセージを受信するように装備してもよい。
前記外部ガイドメッセージは、前記スクリーン１３３上に表示でき、または前記ディスプレイモジュール１３内の前記スピーカーを通じて使用者に送達される、ビデオファイルまたはビデオストリームを含む。これにより、使用者は前記外部ガイドメッセージに従って、前記ＡＥＤ１２を操作することができる。たとえば、使用者が自分自身で前記ＡＥＤ１２を操作できないとき、使用者は前記信号発信部材１５を作動させて不特定の第三者と通信、または信号接続することができる。その後、前記第三者は前記ＡＥＤ１２の操作を口頭で説明することができ、前記第三者の声が前記ディスプレイモジュール１３内のスピーカーを通じて使用者に送達され、使用者は前記ＡＥＤ１２の操作方法を知ることができる。または、前記第三者は前記ＡＥＤ１２の操作方法を実演してみせることができ、この実演が即時にビデオファイルの形式またはビデオストリームの形式で使用者に送信され、使用者が前記ＡＥＤ１２の使い方を知ることができる。
【００３６】
一実施態様において、前記支持棒２０は前記信号受信ユニット１３１および（または）前記信号発信部材１５に接続され、前記信号受信ユニット１３１のアンテナ、または前記信号発信部材１５のアンテナにすることができる。つまり、前記支持棒２０全体を金属製として無線信号を送信するための放射体として作用させることができる。または、一部の実施態様においては、前記支持棒２０を部分的に金属製とし、アンテナとして作用させる。さらに、動作周波数と指向性に基づき、前記支持棒２０の金属部分は異なる形状とすることができる。一部の実施態様において、前記信号受信ユニット１３１と前記信号発信部材１５は単一の回路またはチップに統合することができる。
【００３７】
以上をまとめると、本発明に基づくヘッドレスト構造は、誰かが突然心室細動や心室頻拍を発症したとき、別の人物（友人や救急隊員）が前記ヘッドレスト構造内の前記ＡＥＤを使用して前記患者の心臓に電気ショックを加えた後、外部体外心マッサージ手順やその他の心肺蘇生手順を実施して、前記患者に救急処置を施し、緊急治療室に到着する前に患者に適切な処置を行うことで、患者の生存率を大幅に高めることができる。
【００３８】
さらに、前記ヘッドレスト構造は、前記ヘッドレスト構造が設置された輸送機関からの電源により充電することができる。また、前記ヘッドレスト構造を使用しないときは、前記ヘッドレスト構造を前記輸送機関から取り外し、別の場所での使用に供したり、適切に保管したり、保守を実施したりすることができる。
【００３９】
本発明について例示的に好ましい実施例を挙げて説明したが、本発明はここに開示された実施態様のみに限定されないと理解されるべきである。反対に、本発明の特許請求の範囲の要旨に含まれるさまざまな変更や類似の配置も本発明に含まれるものとし、本発明の請求範囲は、そのような変更と類似の構造のすべてを網羅するように最も幅広く解釈されるべきである。
【符号の説明】
【００４０】
１００、２００  ヘッドレスト
１０  本体
１１  カバークッション
１２  ＡＥＤ
１２１  電気ショックモジュール
１２１１  導電プレート
１２２  制御モジュール
１２３  補助電気ショック部材
１２３１  接続端
１２３２  動作端
１２３２ａ  電極パッド
１３  ディスプレイモジュール
１３１  信号受信ユニット
１３２  コード／デコードユニット
１３３  スクリーン
１５  信号発信部材
２０  支持棒
２１  連結端
２２  組込み端
３０  ハンドル
４０  遮蔽部材
４０ａ  窓部
４０ｂ  受入キャビティ
４１  枢着部
４２  隣接部
４３  カバー部
４４  バックル部
【図１】
0006019191.tif 000002
【図２ａ】
0006019191.tif 000003
【図２ｂ】
0006019191.tif 000004
【図２ｃ】
0006019191.tif 000005
【図３】
0006019191.tif 000006
【図４ａ】
0006019191.tif 000007
【図４ｂ】
0006019191.tif 000008
【図４ｃ】
0006019191.tif 000009
【図４ｄ】
0006019191.tif 000010
【図４ｅ】
0006019191.tif 000011